Podtech/llm-jp-corpus-v4-ja_patent huggingface dataset:
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
繊維基材を処理する方法であって、
前記方法は、フッ素非含有処理組成物を、前記繊維基材を撥水性とするのに十分な量で適用することを含み、
前記処理組成物は、少なくとも１種のイソシアネートから誘導された基と、少なくとも１６個の炭素原子を有する少なくとも１種の炭化水素基と、を含む少なくとも１種の（メタ）アクリレートモノマーの重合から誘導された、１種以上のポリマー化合物を含む、方法。
【請求項２】
前記１種以上のポリマー化合物が、少なくとも１種のイソシアネートから誘導された基と、１６〜６０個の炭素原子を有する少なくとも１種の炭化水素基と、を含む少なくとも１種の（メタ）アクリレートモノマーの重合から得られる、請求項１に記載の方法。
【請求項３】
前記１種以上のポリマー化合物の少なくとも７０重量％が、少なくとも１種のイソシアネートから誘導された基と、１６〜６０個の炭素原子を有する少なくとも１種の炭化水素基と、を含む（メタ）アクリレートモノマーの重合から得られる、請求項１に記載の方法。
【請求項４】
前記処理組成物が、以下の式：
Ｒ１−ＮＨ−Ｃ（Ｏ）Ｏ−Ｌ１−ＯＣ（Ｏ）Ｃ（Ｒ２）＝ＣＨ２  （式Ｉ）、
Ｒ３−Ｘ１−Ｃ（Ｏ）ＮＨ−Ｌ２−ＯＣ（Ｏ）Ｃ（Ｒ４）＝ＣＨ２  （式ＩＩ）、及び
Ｒ５−Ｘ２−Ｃ（Ｏ）ＮＨ−Ｑ−ＮＨＣ（Ｏ）Ｏ−Ｌ３−ＯＣ（Ｏ）Ｃ（Ｒ６）＝ＣＨ２  （式ＩＩＩ）
［式中、Ｒ１、Ｒ３及びＲ５は、独立して、少なくとも１６個の炭素原子を有する炭化水素基であり、
Ｒ２、Ｒ４及びＲ６は、独立して、Ｈ又はＣＨ３であり、
Ｌ１、Ｌ２及びＬ３は、独立して、２〜１０個の炭素原子を有する分枝状若しくは直鎖状アルキレン基、アリーレン基又はこれらの組み合わせであり、
Ｘ１及びＸ２は、独立して、Ｏ、Ｓ、−ＮＨ又は−Ｎ（Ｒ７）（式中、Ｒ７は、１〜２０個の炭素原子を有する炭化水素基である。）であり、かつ
Ｑは、イソシアネート残基である。］のうちの少なくとも１種を有する少なくとも１種の（メタ）アクリレートモノマーの重合から誘導された、１種以上のポリマー化合物を含む、請求項１に記載の方法。
【請求項５】
前記（メタ）アクリレートモノマー中に存在する前記イソシアネートから誘導された基が、ウレタン基又は尿素基である、請求項１に記載の方法。
【請求項６】
前記１種以上のポリマー化合物が、少なくとも１種のイソシアネートから誘導された基と、１６〜６０個の炭素原子を有する少なくとも１種の炭化水素基と、を含む少なくとも１種の（メタ）アクリレートモノマーの、平均して少なくとも１０個の繰り返し単位を有する、請求項１に記載の方法。
【請求項７】
前記１種以上のポリマー化合物を製造するための反応混合物が、耐久性を高める（メタ）アクリレートを更に含む、請求項１に記載の方法。
【請求項８】
前記組成物が、界面活性剤、凝集溶剤、凍結防止溶媒、乳化剤、又は１種以上の微生物に対する安定剤から選択される１種以上の添加剤を任意に含む水性分散液である、請求項１に記載の方法。
【請求項９】
前記繊維基材が、織物、革、カーペット、紙及び不織布の群から選択される、請求項１に記載の方法。
【請求項１０】
請求項１に記載の方法によって処理された、繊維基材。
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
収束−発散型の主酸素出口（１１５）を取り囲む、下方酸素用第二出口（１１６）及び可燃性ガス用第二出口（１１７）からなる、銅ノズル（１０１）に内蔵された下方後燃焼モジュール（１１４）を備える金属の製造及び精錬用の吹込みランスアセンブリであって、主酸素パイプ（１０５）がその内部に粉状固体材料用噴射パイプ（１１９）を有していることを特徴とする吹込みランスアセンブリ。
【請求項２】
主酸素の独立制御機能を有する、酸素用第二出口（１１６）及び可燃性ガス用第二出口（１１７）を備えることを特徴とする請求項１に記載の吹込みランスアセンブリ。
【請求項３】
前記粉状固体材料の噴射が、前記粉状固体材料用噴射パイプ（１１９）を介して連続的に行われることを特徴とする請求項１に記載の吹込みランスアセンブリ。
【請求項４】
酸素がキャリアガスであることを特徴とする請求項１又は請求項３に記載の吹込みランスアセンブリ。
【請求項５】
前記酸素の噴射間隔中において、前記粉状固体材料が断続的に添加される場合、不活性ガスが前記粉状固体材料の伝導体として用いられることを特徴とする請求項１に記載の吹込みランスアセンブリ。
【請求項６】
前記不活性ガスがアルゴンであることを特徴とする請求項５に記載の吹込みランスアセンブリ。
【請求項７】
前記不活性ガスが窒素であることを特徴とする請求項５に記載の吹込みランスアセンブリ。
【請求項８】
前記粉状固体材料用噴射パイプ（１１９）が前記銅ノズル（１０１）側まで延在していることを特徴とする請求項１に記載の吹込みランスアセンブリ。
【請求項９】
前記粉状固体材料用噴射パイプ（１１９）の出口にフロードライバが構成されていることを特徴とする請求項１に記載の吹込みランスアセンブリ。
【請求項１０】
前記粉状固体材料用噴射パイプ（１１９）が、分速５０ｋｇから分速１５００ｋｇの範囲の噴射率で動作することを特徴とする請求項１に記載の吹込みランスアセンブリ。
【請求項１１】
リング状または点状の前記下方酸素用第二出口（１１６）が、前記主酸素パイプ（１０５）に接続されることを特徴とする請求項１に記載の吹込みランスアセンブリ。
【請求項１２】
前記リング状または点状の前記下方酸素用第二出口（１１６）が、補助ガス供給チャンバ（１１７）に接続されることを特徴とする請求項１に記載の吹込みランスアセンブリ。
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
ポリアミドと、
表面の少なくとも一部分上にアミノ基を有する、中空ガラス微小球と、
ポリオレフィン単位又はポリジエン単位のうちの少なくとも１つ、及びカルボン酸官能基又はカルボン酸無水物官能基のうちの少なくとも１つを含む耐衝撃性改良剤と、
を含む組成物であって、前記耐衝撃性改良剤が、前記組成物の総重量に基づき、少なくとも約５重量％の量で存在する、組成物。
【請求項２】
前記耐衝撃性改良剤が、無水マレイン酸変性耐衝撃性改良剤である、請求項１に記載の組成物。
【請求項３】
相溶化剤を更に含む、請求項１に記載の組成物。
【請求項４】
前記相溶化剤が、無水マレイン酸変性ポリオレフィン−ポリアクリレートコポリマーである、請求項３に記載の組成物。
【請求項５】
ポリオレフィン単位又はポリジエン単位のうちの少なくとも１つを含む耐衝撃性改良剤により変性したポリアミドを含むマトリクスであって、前記耐衝撃性改良剤及び前記ポリアミドのうちの少なくとも一部が、アミド結合、イミド結合、又はカルボキシル−アミン非共有結合のうちの少なくとも１つを共有するマトリクスと、
前記マトリクス中に分散した中空ガラス微小球であって、前記中空ガラス微小球及び前記マトリクスのうちの少なくとも一部が、アミド結合、イミド結合、又はカルボキシル−アミン非共有結合のうちの少なくとも１つを共有する中空ガラス微小球と、
を含む組成物であって、前記耐衝撃性改良剤が、前記組成物の総重量に基づき、少なくとも約５重量％の量で存在する、組成物。
【請求項６】
前記耐衝撃性改良剤及び前記ポリアミドのうちの少なくとも一部が、イミドを介して共有結合により連結されている、請求項５に記載の組成物。
【請求項７】
相溶化剤を更に含む、請求項５又は６に記載の組成物。
【請求項８】
前記相溶化剤が、ポリオレフィン−ポリアクリレートコポリマーであり、前記ポリオレフィン−ポリアクリレートと前記マトリクスが、イミドを介して共有結合により連結されている、請求項７に記載の組成物。
【請求項９】
前記耐衝撃性改良剤が、エチレン−プロピレンエラストマー、エチレン−オクテンエラストマー、エチレン−プロピレン−ジエンエラストマー、エチレン−プロピレン−オクテンエラストマー、スチレン−ブタジエンエラストマー、又はそれらの組み合わせである、請求項１〜８のいずれか一項に記載の組成物。
【請求項１０】
請求項１〜９のいずれか一項に記載の組成物を含む物品。
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
低ガラス転移温度（Ｔｇ）モノマーを含む第１のモノマーと、
高Ｔｇモノマーを含む第２のモノマーと、
ホスフィネート含有モノマーと、を含むモノマーの重合により調製可能なアクリルコポリマーを含み、
前記第１のモノマー及び前記第２のモノマーのうちの少なくとも１つが（メタ）アクリレートを含み、
前記ホスフィネート含有モノマーは、
【化１】
2018506614.tif 000001
［式中、ｘは１〜５の整数（両端の値を含む）であり、ｙは０〜５の整数（両端の値を含む）である］により表されるモノマーを含む、ハロゲンフリー難燃性接着剤。
【請求項２】
前記アクリルコポリマーは、約４０重量％〜約６０重量％の前記低Ｔｇ（メタ）アクリルモノマー単位を含む、請求項１に記載の難燃性接着剤。
【請求項３】
前記第１のモノマーは、ｎ−ヘキシルアクリレート、ｎ−ブチルアクリレート、イソブチルアクリレート、ｎ−オクチルアクリレート、２−オクチルアクリレート、ラウリルアクリレート、イソオクチルアクリレート、２−エチルヘキシルアクリレート、ジメチルアミノエチルアクリレート、トリデシルアクリレート、２−エトキシエチルアクリレート、エトキシエトキシエチルアクリレート、２−ヒドロキシエチルアクリレート、４−ヒドロキシブチルアクリレート、２−メトキシエチルアクリレート、２−フェノキシエチルアクリレート、ウレタンアクリレート、シリコーンアクリレート及びこれらの組み合わせからなる群から選択される（メタ）アクリレート系モノマーを含む、請求項１又は２に記載の難燃性接着剤。
【請求項４】
前記第２のモノマーは、約２重量％〜約１０重量％の前記高Ｔｇ（メタ）アクリルモノマー単位を含む、請求項１〜３のいずれか一項に記載の難燃性接着剤。
【請求項５】
前記第２のモノマーは、アクリル酸、イソボルニルアクリレート、メチルアクリレート、メチルメタクリレート、ブチルメタクリレート、ｔ−ブチルアクリレート、ヘキサデシルアクリレート、エチルメタクリレート、ベンジルアクリレート、シクロヘキシルアクリレート、ビフェニルエチルアクリレート、Ｎ，Ｎ−ジメチルアミノエチルメタクリレート、ヒドロキシルエチルメタクリレート、脂肪族ウレタンアクリレート、芳香族ウレタンアクリレート、エポキシアクリレート、アクリルアミド、Ｎ，Ｎ−ジメチルアクリルアミド、Ｎ−ビニルピロリドン、酢酸ビニル、Ｎ−オクチルアクリルアミド、Ｎ−イソプロピルアクリルアミド、ｔ−オクチルアクリルアミド、アクリルアミド、Ｎ−ビニルカプロラクタム及びこれらの組み合わせからなる群から選択されるモノマーを含む、請求項１〜４のいずれか一項に記載の難燃性接着剤。
【請求項６】
前記アクリルコポリマーは、約２５重量％〜約５０重量％の前記ホスフィネート含有モノマー単位を含む、請求項１〜５のいずれか一項に記載の難燃性接着剤。
【請求項７】
前記ホスフィネート含有モノマーはエチルアクリロイルオキシメチルフェニルホスフィネート（ＥＡＭＰＰ）を含む、請求項１に記載の難燃性接着剤。
【請求項８】
前記アクリルコポリマーの前記モノマーはマクロモノマーを更に含む、請求項１〜７のいずれか一項に記載の難燃性接着剤。
【請求項９】
前記マクロモノマーは、反応性ビニル基を有するポリ（メチルメタクリレート）マクロモノマーを含む、請求項８に記載の難燃性接着剤。
【請求項１０】
表裏となる２つの主表面を有する支持層と、前記支持層の少なくとも１つの前記主表面上に配置される請求項１に記載の接着剤と、を含むテープ。
【誤訳訂正書】
【提出日】令和1年8月26日(2019.8.26)
【誤訳訂正１】
【訂正対象書類名】特許請求の範囲
【訂正対象項目名】全文
【訂正方法】変更
【訂正の内容】
【特許請求の範囲】
【請求項１】
ごみ燃焼設備の煙道ガス（１）の冷却、もしくは、冷却および同時の洗浄のためのマルチパスボイラー（２）であって、前記ボイラーが、
第１の煙道（３）と、
前記煙道ガス（１）が導入される下側の開口部（５）と、
第２の煙道（４）と、
過熱器（８）と、
熱交換器（９）と、
下側の開口部（１２）を有する底部と、および、
通路（１１）とを有し、この立ち上がり通路を通って前記煙道ガス（１）が前記第２の煙道から離れており、
球形の部材から成る、下方へと移動するばら荷（６）が、前記ボイラーの前記第２の煙道（４）内において設けられており、
前記ばら荷（６）が、前記底部の前記下側の開口部（１２）を通って取り出され、且つ、上側の開口部を通って前記第２の煙道（４）内へと供給され、
加熱面の表面を通過しての、前記ばら荷（６）の移動によって、飛散する灰の腐食する成分が除去される様式の上記マルチパスボイラーにおいて、
前記過熱器（８）、および、前記熱交換器（９）が、前記第２の煙道（４）内において設けられており、
前記過熱器（８）が、間接的にだけ、前記煙道ガス（１）と接触し、且つ、前記煙道ガス（１）が、前記第２の煙道（４）内において、摂氏１０５０度以上から、摂氏８５０度へと、および、前記立ち上がり通路（１１）内において、摂氏８５０度から、摂氏６５０度へと冷却されることを特徴とするマルチパスボイラー。
【請求項２】
前記第２の煙道（４）内における前記上側の開口部は、この第２の煙道（４）の天井内における１つの開口部（１３）であることを特徴とする請求項１に記載のマルチパスボイラー。
【請求項３】
前記第２の煙道（４）内における前記上側の開口部は、前記立ち上がり通路（１１）内における１つの開口部であることを特徴とする請求項１または２に記載のマルチパスボイラー。
【請求項４】
前記第２の煙道（４）内における前記上側の開口部は、前記第２の煙道（４）の側壁内における１つの開口部であることを特徴とする請求項１または２に記載のマルチパスボイラー。
【請求項５】
前記ばら荷（６）は、セラミック球から成ることを特徴とする請求項１から４のいずれか一つに記載のマルチパスボイラー。
【請求項６】
前記ばら荷（６）は、金属球から成ることを特徴とする請求項１から４のいずれか一つに記載のマルチパスボイラー。
【請求項７】
前記ばら荷（６）は、セラミック球と金属球から成る混合物から成ることを特徴とする請求項１から４のいずれか一つに記載のマルチパスボイラー。
【請求項８】
前記ばら荷（６）が、触媒材料から成る、または、この触媒材料でもって被覆されていることを特徴とする請求項１から４のいずれか一つに記載のマルチパスボイラー。
【請求項９】
前記上側の開口部（１１、１３）と前記下側の開口部（１２）との間に、少なくとも１つの搬送装置（１５）が設けられていることを特徴とする請求項１から８のいずれか一つに記載のマルチパスボイラー。
【請求項１０】
前記下側の開口部を有する前記底部は、ホッパー（１０）であることを特徴とする請求項１から９のいずれか一つに記載のマルチパスボイラー。
【請求項１１】
前記ホッパー（１０）の前記下側の開口部（１２）の後に、灰及び／または微細塵埃（１７）、および、前記球体ばら荷（６）の分離のための、ろ過器（１４）が設けられていることを特徴とする請求項１から９のいずれか一つに記載のマルチパスボイラー。
【請求項１２】
前記第２の煙道（４）内において、分離壁（７）が設けられていることを特徴とする請求項１から１１のいずれか一つに記載のマルチパスボイラー。
【請求項１３】
前記分離壁（７）は、前記第２の煙道（４）と前記立ち上がり通路（１１）との間のボイラー壁（１６）に設けられていることを特徴とする請求項１２に記載のマルチパスボイラー。
【請求項１４】
前記分離壁（７）は、前記ボイラー壁（１６）に対して、１２０と１５０度との間の範囲における角度（２２）を有していることを特徴とする請求項１３に記載のマルチパスボイラー。
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
第１の面であって、中央凹み部と、前記第１の面から突出しかつ前記中央凹み部と同一平面上にない台部と、を備える、第１の面と、
前記第１の面と反対側の第２の面と、
前記台部から第１の方向に延びる少なくとも３つの中空マイクロニードルと、を備え、
前記台部が、前記中央凹み部を実質的に取り囲み、
前記台部が、前記中央凹み部に近位の内周縁部と、前記中央凹み部に遠位の外周縁部とを備え、
前記少なくとも３つの中空マイクロニードルがそれぞれ、
外表面と、
基部と前記外表面の第１の区画によって画定される第１の形状とを有する基部部分と、
先端と前記外表面の第２の区画によって画定され前記第１の形状とは異なる第２の形状とを有する先端部分と、
前記基部部分と前記先端部分との境界となる遷移面と、
中心軸と、を備える本体を備え、
前記少なくとも３つの中空マイクロニードルそれぞれの前記中心軸と、前記台の前記外周縁部から前記マイクロニードルの前記遷移面を通って延びる最も短い線とによって画定される第１の角度が、５０°より大きく約８５°以下である、物品。
【請求項２】
前記第１の面が、前記台部の前記外周縁部の少なくとも一部から横方向に延びる、マイクロニードルのない周辺部を更に備え、前記周辺部が、前記台部から離れるように、前記第１の方向とは反対の第２の方向へと傾いている、請求項１に記載の物品。
【請求項３】
前記物品が、前記台部又は存在する場合は前記周辺部から延びる側壁部を更に備え、前記側壁部は、実質的に前記第１の方向と反対方向に延びる、請求項１または２に記載の物品。
【請求項４】
前記中央凹みが閉じた凹みである、請求項１〜３のいずれか一項に記載の物品。
【請求項５】
前記中央凹みが、前記第１の面から前記第２の面にかけて延びる貫通孔である、請求項１〜３のいずれか一項に記載の物品。
【請求項６】
一体構造体が、前記台部と、前記周辺部と、前記中央凹み部と、を備える、請求項１〜５のいずれか一項に記載の物品。
【請求項７】
前記複数のうちの少なくとも１つのマイクロニードルが、
基部と、
中心軸と本体直径とを有する細長い本体と、
先端と、前記中心軸に対して斜めに配向され、前記本体直径の少なくとも７５％を通って延びる第１のベベル面と、前記中心軸に対して実質的に垂直に配向され、前記第１のベベル面と交わる第２のベベル面と、前記第１のベベル面の第１の縁部及び前記第２のベベル面の第２の縁部によって画定されたベベル開口部とを備える、先端部と、
前記ベベル開口部から前記本体内へと軸方向に延びる中空チャネルと、を備える、請求項１〜６のいずれか一項に記載の物品。
【請求項８】
前記複数のうちの少なくとも１つのマイクロニードルが、
基部と、
中心軸を有する細長い本体と、
先端とベベル化表面と前記ベベル化表面内のベベル開口部とを備える、先端部と、
前記ベベル開口部から前記細長い本体の少なくとも一部を通って軸方向に延びる第１のチャネルであって、前記中心軸に実質的に整列する第１の壁を有する、第１のチャネルと、
前記第１のチャネルから前記ベベル開口部へと径方向に延びる第２のチャネルであって、前記中心軸に対して実質的に直角に配向されている第２の壁を有する、第２のチャネルと、を備え、
前記第１のチャネルと第２のチャネルとが合流して前記ベベル開口部をなす、請求項１〜７のいずれか一項に記載の物品。
【請求項９】
請求項１〜８のいずれか一項に記載の中空マイクロニードルアレイ物品と、
中空マイクロニードルアレイ物品ホルダと、
前記中空マイクロニードルアレイ物品を第１の位置から第２の位置へと移動させるように構成された第１のエネルギー蓄積構成要素と、
前記中空マイクロニードルと流体連通している、流体を収容するリザーバと、を備え、
前記物品を所定の方向に所定の速度で推進させるように構成されている、注射及び点滴器具。
【請求項１０】
前記所定の速度が約２ｍ／秒〜約２０ｍ／秒である、請求項９に記載の器具。
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
プロセッサにより実行可能な命令のセットを格納する非一時的コンピュータ可読記憶媒体であって、前記プロセッサにより実行されるとき、前記命令のセットが、前記プロセッサに、
複数のデータ点を含むデータを受信するステップであって、前記データ点のそれぞれが、第１の軸に沿った値と第２の軸に沿った値とを含む、ステップと、
前記データを前記第１の軸に沿って複数のビンに分割するステップであって、前記データが表示される表示デバイスの物理的属性に基づき前記データが分割される、ステップと、
前記ビンの１つに関して、代替データ表現が使用されるべきかどうかを決定するステップであって、前記ビンの１つにおけるデータ点の数が、第１の閾値より大きいとき、前記代替データ表現が前記ビンの１つにおいて使用される、ステップと、
前記データのプロットを表示するステップであって、前記代替データ表現が使用されるべきであると決定されるとき、前記ビンの１つに対して前記代替データ表現が使用され、前記代替データ表現が使用されるべきでないと決定されるとき、前記ビンの１つに対してラインプロットが使用される、ステップとを実行させる、非一時的コンピュータ可読記憶媒体。
【請求項２】
前記決定するステップが更に、前記ビンの１つにおける前記データ点の値の範囲に基づかれる、請求項１に記載の非一時的コンピュータ可読記憶媒体。
【請求項３】
Ａ）前記ビンの１つにおけるデータ点の数が第１の閾値より大きく、かつＢ）前記ビンの１つにおける値の範囲が、第２の閾値より大きいとき、前記代替データ表現が、前記ビンの１つで使用される、請求項２に記載の非一時的コンピュータ可読記憶媒体。
【請求項４】
前記ビンの各々が、前記表示デバイスの１つのピクセル列を有する、請求項１に記載の非一時的コンピュータ可読記憶媒体。
【請求項５】
前記代替データ表現が、ラインヒストグラムを有する、請求項１に記載の非一時的コンピュータ可読記憶媒体。
【請求項６】
前記ラインヒストグラムが、前記ビンの１つにおける前記データ点の平均値を有する、請求項７に記載の非一時的コンピュータ可読記憶媒体。
【請求項７】
前記代替データ表現が、前記ビンの１つにおける前記データ点の平均値を示す第１のラインと、前記ビンの１つにおける前記データ点の値の分位数を示す第２のラインとを有する、請求項１に記載の非一時的コンピュータ可読記憶媒体。
【請求項８】
システムであって、
複数のデータ点を含むデータを受信するデータインタフェースであって、前記データ点のそれぞれが、第１の軸に沿った値と第２の軸に沿った値とを含む、データインタフェースと、
表示デバイスと、
命令のセットを格納する非一時的メモリと、
前記命令セットを実行するプロセッサとを有し、前記プロセッサが、
前記データを前記第１の軸に沿って複数のビンに分割するステップであって、前記データが、前記表示デバイスの物理的属性に基づき分割される、ステップと、
前記ビンの１つに関して、代替データ表現が使用されるべきかどうかを決定するステップであって、前記ビンの１つにおけるデータ点の数が、第１の閾値より大きいとき、前記代替データ表現が前記ビンの１つにおいて使用される、ステップと、
前記データのサンプルのプロットを前記表示デバイスを用いて表示するステップであって、前記代替データ表現が使用されるべきであると決定されるとき、前記ビンの１つに対して前記代替データ表現が使用され、前記代替データ表現が使用されるべきでないと決定されるとき、前記ビンの１つに対してラインプロットが使用される、ステップとを実行する、システム。
【請求項９】
前記決定するステップが更に、前記ビンの１つにおける前記データ点の値の範囲に基づかれる、請求項８に記載のシステム。
【請求項１０】
Ａ）前記ビンの１つにおけるデータ点の数が第１の閾値より大きく、かつＢ）前記ビンの１つにおける値の範囲が、第２の閾値より大きいとき、前記代替データ表現が、前記ビンの１つで使用される、請求項９に記載のシステム。
【請求項１１】
前記ビンの各々が、前記表示デバイスの複数のピクセル列を有する、請求項１０に記載のシステム。
【請求項１２】
前記代替データ表現が、ラインヒストグラムを有する、請求項１０に記載のシステム。
【請求項１３】
前記代替データ表現が、前記ビンの１つにおける前記データ点の平均値を示す第１のラインと、前記ビンの１つにおける前記データ点の値の分位数を示す第２のラインとを有する、請求項１０に記載のシステム。
【請求項１４】
前記代替データ表現が、前記データのカーネル密度推定値、前記データの分布関数のパラメトリック推定値、又は近周期データに関する周期当たりの平均信号の１つを有する、請求項１０に記載のシステム。
【請求項１５】
表示デバイスを制御する方法において、
複数のデータ点を含むデータを受信するステップであって、前記データ点のそれぞれが、第１の軸に沿った値と第２の軸に沿った値とを含む、ステップと、
前記データを前記第１の軸に沿って複数のビンに分割するステップであって、前記データが表示される表示デバイスの物理的属性に基づき前記データが分割される、ステップと、
第１のデータ表現又は第２のデータ表現を使用してデータ点が表示されるべきかどうかを決定するステップであって、前記決定するステップが、前記ビンの１つにおけるデータ点の数に基づかれる、ステップと、
前記データのプロットを表示するステップであって、前記第１のデータ表現が使用されるべきと決定されるとき、前記データ点の少なくとも一部のヒストグラム表現が表示され、前記第２のデータ表現が使用されるべきと決定されるとき、前記データ点の少なくとも一部の第２の種類の表現が表示される、ステップとを有する、方法。
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
追跡デバイス（４４、４６、４８）と、ナビゲーションシステム（２０）のローカライザ（３４）との間の追跡中断を低減する方法であって、
前記ローカライザ（３４）の視野内の前記追跡デバイス（４４、４６、４８）を検出するステップと、
前記追跡デバイス（４４、４６、４８）と前記ローカライザ（３４）との間の視線関係に基づいて仮想視線境界を生成するステップと、
前記追跡デバイス（４４、４６、４８）と前記ローカライザ（３４）との間の相対的な動きを計上するように前記仮想視線境界を更新するステップと、
仮想物体（４４’、４６’、４８’）と前記仮想視線境界との間の相対的な動きを評価するステップであって、前記仮想物体（４４’、４６’、４８’）は、前記ローカライザ（３４）の前記視野において物理的物体に関連付けられる、ステップと、
前記仮想物体（４４’、４６’、４８’）と前記仮想視線境界との間の衝突を検出し、前記物理的物体が前記追跡デバイス（４４、４６、４８）と前記ローカライザ（３４）との間で前記視線を遮断することを防ぐ応答を可能にするステップと
を含んでなる方法。
【請求項２】
前記衝突の検出に応答してフィードバックを生成するステップを含み、前記フィードバックを生成するステップは、可聴フィードバック、視覚フィードバック、振動フィードバック又は触覚フィードバックのうちの少なくとも１つを生成することを含む、請求項１に記載の方法。
【請求項３】
前記フィードバックを生成するステップは、前記物理的物体の動きを制御することを含む、請求項２に記載の方法。
【請求項４】
前記物理的物体の動きを制御することは、触覚デバイスを用いてツール（２２）の動きを制約することを含む、請求項３に記載の方法。
【請求項５】
前記触覚デバイス、患者の組織又は前記ローカライザ（３４）を再位置決めする命令を生成するステップを含む、請求項４に記載の方法。
【請求項６】
前記衝突を検出することは、前記衝突を予測することとして更に定義される、請求項１〜５のいずれか１項に記載の方法。
【請求項７】
前記ローカライザの前記視野内で前記追跡デバイス（４４、４６、４８）を検出するステップは、前記ローカライザ（３４）の１つ以上の光センサ（４０）を用いて前記追跡デバイス（４４、４６、４８）の１つ以上のマーカから光を検知することを含む、請求項１〜６のいずれか１項に記載の方法。
【請求項８】
前記仮想視線境界（４４’、４６’、４８’）を生成するステップは、前記物理的物体が入ることを制限される空間の輪郭を描く形状を有する境界仮想物体を生成し、前記追跡デバイス（４４、４６、４８）からの光が、前記物理的物体による遮断なしで前記ローカライザ（３４）に送達されることができるようにすることを含む、請求項１〜７のいずれか１項に記載の方法。
【請求項９】
前記仮想視線境界は、円筒形、球形又は円錐台形のうちの少なくとも１つである、請求項１〜８のいずれか１項に記載の方法。
【請求項１０】
前記追跡デバイス（４４、４６、４８）と前記ローカライザ（３４）との間の相対的な動きを計上するように前記仮想視線境界を更新するステップは、０．１ミリ秒〜２ミリ秒ごとに実行される、請求項１〜９のいずれか１項に記載の方法。
【請求項１１】
第２の追跡デバイス（４４、４６、４８）と前記ローカライザ（３４）との間の視線関係に基づいて第２の仮想視線境界を生成するステップを含む、請求項１〜１０のいずれか１項に記載の方法。
【請求項１２】
前記第２の追跡デバイス（４４、４６、４８）と前記ローカライザ（３４）との間の相対的な動きを計上するように前記第２の仮想視線境界を更新するステップを含む、請求項１１に記載の方法。
【請求項１３】
前記仮想物体（４４’、４６’、４８’）と前記第２の仮想視線境界との間の衝突を検出して、前記物理的物体が前記第２の追跡デバイス（４４、４６、４８）と前記ローカライザ（３４）との間で前記視線を遮断することを防ぐ応答を可能にすることを含む、請求項１１又は１２のいずれか１項に記載の方法。
【請求項１４】
前記物理的物体は、ツール又は人物の少なくとも一部分である、請求項１〜１３のいずれか１項に記載の方法。
【請求項１５】
仮想空間において仮想物体（４４’、４６’、４８’）として定義される物理的物体によって生じる追跡中断を低減するナビゲーションシステム（２０）であって、
視野を有するローカライザ（３４）と、
前記ローカライザ（３４）の前記視野内に配置した追跡デバイス（４４、４６、４８）であって、前記ローカライザが該追跡デバイスとの視線関係を確立することができるようにする、追跡デバイス（４４、４６、４８）と、
前記追跡デバイス（４４、４６、４８）と前記ローカライザ（３４）との間の前記視線関係に基づいて仮想視線境界を生成するように構成され、前記追跡デバイスと前記ローカライザ（３４）との間の相対的な動きを計上するように前記仮想視線境界を更新するように構成された仮想境界生成器と、
前記仮想視線境界に対する前記仮想物体（４４’、４６’、４８’）の動きを評価して、前記仮想物体（４４’、４６’、４８’）と前記仮想視線境界との間の衝突を検出し、前記物理的物体が前記追跡デバイス（４４、４６、４８）と前記ローカライザ（３４）との間で前記視線を遮断することを防ぐ応答を可能にするように構成された衝突検出器と
を備えてなる、ナビゲーションシステム。
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
プロセッサにより実行され、３次元ボリューム内に標的を追跡する方法であって、
画像取得装置から、前記標的の関心領域と前記３次元ボリューム内の前記標的の位置を含む３次元医用画像を受信するステップと、
前記プロセッサにより実行され、前記３次元画像から複数の２次元スライスを抽出するステップと、
前記プロセッサにより実行され、前記２次元スライスに対する２次元パッチを決定するステップであって、前記２次元パッチは前記標的と関連する前記２次元スライスの領域に対応しているステップと、
前記プロセッサにより実行され、前記２次元パッチの位置と前記３次元ボリューム内の標的の位置との間の距離を反映するオフセット値を決定するステップと、
前記プロセッサにより実行され、前記関心領域内の前記標的の位置を決定するために前記２次元パッチを適応フィルタモデルに変換するステップであって、前記適応フィルタモデルは前記オフセット値を含むステップと
を有することを特徴とする方法。
【請求項２】
請求項１記載の方法において、
前記２次元パッチを変換するステップは、前記適応フィルタモデルを使用するステップを含み、
前記適応フィルタモデルは、整合フィルタ、最大マージン相関フィルタ、合成弁別関数フィルタ、及び最小平均２乗フィルタの少なくとも１つを含む
ことを特徴とする方法。
【請求項３】
請求項１記載の方法において、
前記オフセット値は、前記２次元パッチの位置と前記３次元ボリューム内の前記標的内の基準点との間の距離ベクトルを含む
ことを特徴とする方法。
【請求項４】
請求項１記載の方法において、
２次元スライスは、前記３Ｄボリューム内の前記標的の動きと実質的に平行である
ことを特徴とする方法。
【請求項５】
請求項１記載の方法において、
２次元スライスは、前記３Ｄボリューム内の前記標的の動きと実質的に直交する
ことを特徴とする方法。
【請求項６】
請求項１記載の方法において、
前記適応フィルタモデルと前記２次元スライスの両方が同一の向きを有する
ことを特徴とする方法。
【請求項７】
請求項１記載の方法において、
前記適応フィルタモデルと前記２次元スライスの両方が同じ領域内にあり、
前記領域は、周波数領域又は空間領域のいずれかである
ことを特徴とする方法。
【請求項８】
請求項１記載の方法において、
前記プロセッサにより実行され、前記２次元スライスを前記適応フィルタモデルの領域に変換するステップをさらに有し、
前記領域は、周波数領域又は空間領域のうちの少なくとも１つであり、
前記適応フィルタモデルは前記２次元スライスと同様の向きである
ことを特徴とする方法。
【請求項９】
請求項１記載の方法において、
前記プロセッサにより実行され、前記医療画像から前記複数の２次元スライスを抽出する前に、パラメータを調整するステップをさらに有する
ことを特徴とする方法。
【請求項１０】
請求項９記載の方法において、
前記パラメータは、標的位置パラメータを有する
ことを特徴とする方法。
【請求項１１】
請求項９記載の方法において、
前記パラメータは、初期目標位置パラメータを有する
ことを特徴とする方法。
【請求項１２】
請求項９記載の方法において、
前記パラメータは、スライス方向パラメータを有する
ことを特徴とする方法。
【請求項１３】
請求項１２記載の方法において、
前記スライス方向パラメータは、矢状方向、冠状方向、又は軸方向の少なくとも１つを有する
ことを特徴とする方法。
【請求項１４】
請求項９記載の方法において、
前記パラメータは、スライス厚さパラメータを有する
ことを特徴とする方法。
【請求項１５】
請求項９記載の方法において、
前記パラメータは、前記３次元ボリュームパラメータにおける標的の動きの方向を有する
ことを特徴とする方法。
【請求項１６】
請求項１記載の方法において、
前記適応フィルタモデルは信頼度スコアを含み、
前記信頼スコアは、前記適応フィルタモデルと前記２次元スライスの特定位置との間の相対的適合度を示す
ことを特徴とする方法。
【請求項１７】
請求項１記載の方法において、
前記プロセッサは複数の適応フィルタモデルを生成する
ことを特徴とする方法。
【請求項１８】
請求項１７記載の方法において、
前記複数の適応フィルタモデルの各々は、前記標的を含む特定の関心領域に対して設計されている
ことを特徴とする方法。
【請求項１９】
請求項１７記載の方法において、
前記プロセッサは、２つ又はそれ以上の適応フィルタモデルを組み合わせ、各フィルタモデルは異なるスライス方向に対応している
ことを特徴とする方法。
【請求項２０】
請求項１記載の方法において、
前記２次元パッチは、前記標的を含む前記２次元スライスの領域に対応している
ことを特徴とする方法。
【請求項２１】
請求項１記載の方法において、
前記２Ｄパッチは、前記標的を取り囲むが前記標的を含まない領域に対応する情報を含むように構成されている
ことを特徴とする方法。
【請求項２２】
請求項１記載の方法において、
前記３次元標的は腫瘍である
ことを特徴とする方法。
【請求項２３】
ボリュームの２次元画像スライスを使用して、前記ボリューム内の３次元標的を追跡するシステムであって、
プロセッサと、
前記プロセッサに動作可能に結合され、前記プロセッサによって実行されたとき、前記プロセッサに方法を実行させるコンピュータ実行可能命令を格納するメモリとを備え、
前記方法は、
画像取得装置から、前記標的の関心領域と前記３次元ボリューム内の前記標的の位置を含む前記３次元ボリュームの３次元医療画像を受信し、前記３次元画像が前記メモリに格納されているステップと、
前記プロセッサにより実行され、前記３次元画像から複数の２次元スライスを抽出するステップと、
前記プロセッサにより実行され、前記２次元スライスに対する２次元パッチを決定するステップであって、前記２次元パッチは前記標的と関連する前記２次元スライスの領域に対応しているステップと、
前記プロセッサにより実行され、前記２次元パッチの位置と前記３次元ボリューム内の標的の位置との間の距離を反映するオフセット値を決定するステップと、
前記プロセッサにより実行され、前記関心領域内の前記標的の位置を決定するために前記２次元パッチを適応フィルタモデルに変換するステップであって、前記適応フィルタモデルは前記オフセット値を含むステップとを有する
ことを特徴とするシステム。
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
被験者のバイタルサインを監視するときに用いる信号を処理する、加速度計を有する装置であって、
時間的に被験者の加速度計信号を入力するように構成された信号受信器であって、加速度計信号は、被験者の心臓血管イベント又は呼吸イベントである少なくとも１つの生理的イベントに関連し、少なくとも２つの空間方向について測定され、前記加速度計信号は皮膚の振動に基づく、信号受信器と、
入力された加速度計信号のエンベロープ信号を決定するように構成されたエンベロープ抽出器と、
被験者の第１の生理的イベントと第２の生理的イベントとの間の推定時間間隔に基づいて調整係数を計算するように構成された計算器と、
エンベロープ信号に計算された調整係数を乗算することによって、決定されたエンベロープ信号を調整するように構成された乗算器とを有する
装置。
【請求項２】
前記計算器は、推定された時間間隔だけシフトされた前記エンベロープ信号の正及び／又は負の時間シフトされたバージョンを使用するように構成される、
請求項１に記載の装置。
【請求項３】
前記計算器は、主関数を用いて前記調整係数を計算するように構成され、前記主関数は、決定されたエンベロープ信号、及び／又はエンベロープ信号の正及び／又は負に時間シフトされたバージョンに依存する補助関数を有する、
請求項２に記載の装置。
【請求項４】
前記補助関数は、決定されたエンベロープ信号、及び／又は前記エンベロープ信号の正及び／又は負に時間シフトされたバージョンを変数として使用し、少なくとも一つの所定量をパラメータとして使用する、
請求項３に記載の装置。
【請求項５】
前記主関数は、前記補助関数の計算値と定数値とのうち小さい方の値を決定するように構成され、前記計算器は、前記調整係数を前記小さい方の値として決定するように構成される、
請求項３に記載の装置。
【請求項６】
前記乗算器は、計算された調整係数に平滑化演算子を適用し、決定されたエンベロープ信号に平滑化された調整係数を乗算するように構成される、
請求項１に記載の装置。
【請求項７】
決定されたエンベロープ信号に基づいて前記第１の生理的イベントと前記第２の生理的イベントとの間の時間間隔を推定するように構成された推定ユニットをさらに有する、
請求項１に記載の装置。
【請求項８】
前記推定ユニットは、決定されたエンベロープ信号の自己相関を計算し、及び／又は被験者の心臓サイクルの大動脈弁開放と大動脈弁閉鎖との間の時間間隔を推定するように構成される、
請求項７に記載の装置。
【請求項９】
前記信号受信器は、被験者の腹背部方向で測定された前記加速度計信号を選択するように構成される、
請求項１に記載の装置。
【請求項１０】
前記エンベロープ抽出器は、下限閾値周波数から上限閾値周波数までの周波数範囲内で前記加速度計信号の第１の部分を抽出する第１のバンドパスフィルタ、前記加速度計信号の絶対値を生成するように構成された絶対値生成器、及び／又はカットオフ周波数より高い、等しい、又は低い周波数の前記加速度計信号の第２部分を抽出する第２バンドパスフィルタを有する、
請求項１に記載の装置。
【請求項１１】
生理的イベントにそれぞれ関連する１つ以上の最大値及び／又は最小値を、決定されたエンベロープ信号において検出するように構成されたピーク検出器をさらに有する、
請求項１に記載の装置。
【請求項１２】
決定されたエンベロープ信号から１つ以上の分類特徴を導出することによってピーク検出結果を分類するように構成された分類器をさらに有する、
請求項１に記載の装置。
【請求項１３】
被験者のバイタルサインを監視するときに用いる加速度計信号を処理するシステムであって、
２つ以上の空間方向に対して時間的に被験者の加速度計信号を測定するように構成された加速度計と、
前記加速度計によって測定された前記加速度計信号を処理するように構成された、請求項１に記載の装置とを有する、
システム。
【請求項１４】
被験者のバイタルサインを監視するときに用いる加速度計信号を処理する方法であって、
信号受信器が、時間的に被験者の加速度計信号を受信するステップであって、前記加速度計信号は、被験者の心臓血管イベント又は呼吸イベントである少なくとも１つの生理的イベントに関連し、少なくとも２つの空間方向について測定され、前記加速度計信号は皮膚の振動に基づく、ステップと、
エンベロープ抽出器が、入力加速度計信号のエンベロープ信号を決定するステップと、
計算器が、被験者の第１の生理的イベントと第２の生理的イベントとの間の推定時間間隔に基づいて調整係数を計算するステップと、
乗算器が、前記エンベロープ信号に計算された調整係数を乗算することによって、決定されたエンベロープ信号を調整するステップとを含む
方法。
【請求項１５】
コンピュータで実行されたとき、前記コンピュータに請求項１４に記載の方法のステップを実行させるように構成されたプログラムコード手段を有するコンピュータプログラム。
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
ハウジングと、
前記ハウジング内に取り付けられ、入口を有するバルブ本体と、
前記バルブ本体内で、少なくとも第１位置と第２位置との間で、バルブ本体に対して可動である、バルブステムと、
前記バルブ本体内に配置され、前記バルブステムを前記第１位置へと付勢するように動作可能である、戻り部材と、
前記バルブステムの第１部分内に形成され、入口ポート及び出口ポートを含む計量前領域であって、前記入口ポートは前記バルブ本体の前記入口に接続されている、計量前領域と、
前記バルブステムと前記バルブハウジングとの間に形成された計量チャンバであって、前記計量前領域の前記出口ポートに接続可能な、計量チャンバと、
前記計量前領域への入口経路内に位置付けられ、計量した用量を前記計量前領域内に保持するように動作可能な、第１用量保持要素であって、前記第１用量保持要素を通じて双方向への流体の移送をもたらす、第１用量保持要素と、
前記バルブステムの第２部分内に形成され、分配入口及び分配出口を有する、分配チャネルであって、前記分配入口は前記第２位置において前記計量チャンバに接続可能である、分配チャネルと、を含む、計量バルブ。
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
患者の骨盤に固定されるように構成された固定ベースを備える治具と、前記治具に連結され、且つ前記固定ベースに対して少なくとも１つの自由度を有する光学的構成要素と、を備え、
前記光学的構成要素が、前記患者の肢の一部分に向けて光を投影するように構成され、
前記光学的構成要素が、手術前に及び／又は手術後に前記肢の配向を決定するように構成される、股関節ナビゲーションシステム。
【請求項２】
前記治具は、前記骨盤に強固に接続されるように構成された第１のアセンブリを備え、
前記第１のアセンブリは、外科的配向装置と連結するように構成されており、
前記外科的配向装置は、ディスプレイを備える、請求項１に記載の股関節ナビゲーションシステム。
【請求項３】
前記光学的構成要素が、前記外科的配向装置から独立して位置付けられるように構成される、請求項２に記載の股関節ナビゲーションシステム。
【請求項４】
プローブをさらに備える、請求項１〜３のいずれか一項に記載の股関節ナビゲーションシステム。
【請求項５】
前記治具は第２のアセンブリを備え、
前記第２のアセンブリは、前記プローブの遠位端部の動きの範囲を可能にする、請求項４に記載の股関節ナビゲーションシステム。
【請求項６】
前記プローブの配向及び回転を検出するように構成された配向検知装置をさらに備える、請求項４又は５に記載の股関節ナビゲーションシステム。
【請求項７】
インパクタをさらに備え、
前記配向検知装置は、前記インパクタに連結されるように構成される、請求項４〜６のいずれか一項に記載の股関節ナビゲーションシステム。
【請求項８】
前記光学的構成要素、外科的配向装置、及び配向検知装置は、独立して配置される、請求項１に記載の股関節ナビゲーションシステム。
【請求項９】
前記治具は、ボール及びソケットジョイントを備える、請求項１〜８のいずれか一項に記載の股関節ナビゲーションシステム。
【請求項１０】
前記光学的構成要素と前記治具との間の多軸運動を可能にするように構成された関節接合をさらに備え、
前記関節接合は、軸を備える、請求項１〜９のいずれか一項に記載の股関節ナビゲーションシステム。
【請求項１１】
前記光学的構成要素が、前記光学的構成要素と前記固定ベースとの間の多軸運動を可能にするように前記治具に連結される、請求項１〜１０のいずれか一項に記載の股関節ナビゲーションシステム。
【請求項１２】
前記光学的構成要素が、前記多軸運動に加えて、軸の周りを回転可能である、請求項１１に記載の股関節ナビゲーションシステム。
【請求項１３】
前記光学的構成要素がレーザーを備える、請求項１〜１２のいずれか一項に記載の股関節ナビゲーションシステム。
【請求項１４】
前記光学的構成要素は、骨盤に対する大腿骨の元の位置を再現するために視覚的ガイドを提供するように構成される、請求項１〜１３のいずれか一項に記載の股関節ナビゲーションシステム。
【請求項１５】
前記光学的構成要素は、前記治具の右側又は左側に装着されるように構成される、請求項１〜１４のいずれか一項に記載の股関節ナビゲーションシステム。
【請求項１６】
前記治具に連結され、且つ前記固定ベースに対して少なくとも１つの自由度を有する慣性センサーをさらに備える、請求項１に記載の股関節ナビゲーションシステム。
【請求項１７】
前記光学的構成要素及び前記慣性センサーが、別個の構成要素である、請求項１６に記載の股関節ナビゲーションシステム。
【請求項１８】
前記光学的構成要素及び前記慣性センサーが、単一のハウジングに統合される、請求項１６に記載の股関節ナビゲーションシステム。
【請求項１９】
前記慣性センサーが、前記慣性センサーと前記固定ベースとの間の多軸運動を可能にするように前記治具に連結される、請求項１６に記載の股関節ナビゲーションシステム。
【請求項２０】
前記光学的構成要素が、前記慣性センサーから独立して位置付けられるように構成される、請求項１６に記載の股関節ナビゲーションシステム。
【請求項２１】
前記光学的構成要素が、前記肢に沿って光の位置を調整するために、ピッチで上下に移動するように構成される、請求項１に記載の股関節ナビゲーションシステム。
【請求項２２】
前記光学的構成要素が、前記肢に沿って光を掃引するために、前記骨盤に向かって及び前記骨盤から離れて傾くように構成される、請求項１に記載の股関節ナビゲーションシステム。
【請求項２３】
前記光学的構成要素が、前記肢に亘って光を掃引するために、左右に旋回するように構成される、請求項１に記載の股関節ナビゲーションシステム。
【請求項２４】
前記光学的構成要素が、前記肢に対する平面の配向を変更するために、回るように構成される、請求項１に記載の股関節ナビゲーションシステム。
【請求項２５】
前記治具に連結されるプローブをさらに備える、請求項１に記載の股関節ナビゲーションシステム。
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
材料の２つ以上のシートを含む組織移植片製品であって、各々のシートが、細胞外マトリックス（ＥＣＭ）又はポリマー材料を含み、シートが、１つのシートの一部分を別のシートの一部分と噛合することによって、互いに積層され、
第１のシートが複数のラグを有し、第２のシートが複数の孔を有し、第１のシートの各々のラグが、第２のシートの孔を通って置かれ、第１のシートを第２のシートと噛合する、組織移植片製品。
【請求項２】
孔及びラグが、ラグが第２のシートの表面と係合するような、寸法を有する、請求項１に記載の組織移植片製品。
【請求項３】
各々のラグが、第１のシートから切り出されたシートの一部を含み、シートに接続されたままである、請求項１又は２に記載の組織移植片製品。
【請求項４】
第１のシートと第２のシートとの間に位置付けられた第３のシートを更に含み、
第３のシートが、第２のシートの孔と整列した複数の孔を有し、
第１のシートのラグが、第３のシートの孔に延びて通して、第１のシートを第２のシート及び第３のシートと噛合する、請求項１〜３のうちのいずれか１項に記載の組織移植片製作物。
【請求項５】
第２のシートの孔と整列した複数のラグを有する第３のシートを更に含み、
第３のシートのラグが、第２のシートの孔に延びて通して、第３のシートを第２のシートと噛合する、請求項１〜３のうちのいずれか１項に記載の組織移植片製作物。
【請求項６】
第１のシートの各々のラグが第３のシートと噛合され、第３のシートの各々のラグが第１のシートと噛合する、請求項５に記載の組織移植片製作物。
【請求項７】
第３のシートが複数のラグを含み、第１のシートが複数の孔を含み、第１のシートのラグが、第３のシートのラグからオフセットされる、請求項５又は６に記載の組織移植片製作物。
【請求項８】
少なくとも１つのシートがＥＣＭを含む、請求項１〜７のうちのいずれか１項に記載の組織移植片製品。
【請求項９】
ＥＣＭ及び／又はポリマー材料の合計３、４、５、６、７、８、９、又は１０のシートを含む、請求項１〜８のうちのいずれか１項に記載の組織移植片製作物。
【請求項１０】
ＥＣＭが、反芻動物の前胃の固有−粘膜下組織から形成される、請求項１〜９のうちのいずれか１項に記載の組織移植片製品。
【請求項１１】
少なくとも１つのシートが、ポリプロピレン、ポリテトラフルオロエチレン、ポリグリコール酸、ポリ乳酸、ポリグレカプロン−２５、又はポリエステルから形成される合成ポリマー材料を含む、請求項１〜１０のうちのいずれか１項に記載の組織移植片製品。
【請求項１２】
少なくとも１つのシートが、タンパク質、多糖類、糖タンパク質、プロテオグリカン、又はグリコサミノグリカンを含む、請求項１〜１０のうちのいずれか１項に記載の組織移植片製品。
【請求項１３】
実質的に平坦なシートであるか、又は製品が移植される場所に合うように成形された３次元形態を有する、請求項１〜１２のうちのいずれか１項に記載の組織移植片製品。
【請求項１４】
１つのシートの一部分を別のシートの一部分と噛合することによって、材料の２つ以上のシートを互いに積層する工程を含む、請求項１〜１３のうちのいずれか１項に記載の組織移植片製品を調製する方法であって、各々のシートが、細胞外マトリックス（ＥＣＭ）又はポリマー材料を含み、
（ｉ）複数のラグを有した材料の第１のシートを複数の孔を有する第２のシートを重ねて置かれる工程と、
（ｉｉ）第１のシートのラグを第２のシートの孔に押し通す工程であって、孔及びラグが、ラグが第２のシートの表面と係合して第１のシートを第２のシートと噛合するような、寸法を有する、工程と、
を含む、方法。
【請求項１５】
ＥＣＭ及び／又はポリマー材料が乾燥シートである、請求項１４に記載の組織移植片製品を調製する方法。
【請求項１６】
（ｉ）ＥＣＭ又はポリマー材料のシートが重ね合わせられ得る型と、
（ｉｉ）ラグシートを形成するためにＥＣＭ又はポリマー材料のシートにラグを切るラグ切り手段と、
（ｉｉｉ）穿孔シートを形成するためにＥＣＭ又はポリマー材料のシートに穿孔を作り出す穿孔手段と、
（ｉｖ）組織移植片製品を形成するために穿孔シートの穿孔にラグシートのラグを押し通す手段と、
を含む、請求項１〜１３のうちのいずれか１項に記載の組織移植片製品を調製する機器。